(57)【要約】【課題】防犯性及び安全性の向上を図ることができるとともに、壁面緑化装置の骨組みとなるフレーム枠を省略し、建物の外観を損なうことなく壁面緑化することが可能な壁面緑化用金具を提供する。【解決手段】建物壁面４０にネットを配設するための壁面緑化用金具１であって、２本のパイプ１１、１２と、これらパイプ１１、１２内に挿入され、これらパイプ１１、１２を折り曲げ自在に連結するスプリング１３と、このスプリング１３によって連結された折り曲げ自在パイプ１０の一端を建物壁面４０に固定するための固定具１１ａと、折り曲げ自在パイプ１０の他端に設けられたネットの保持具３０と、を備えた構成としてある。【選択図】図２
2011087492.tif 000002
【特許請求の範囲】
【請求項１】
建物壁面にネットを配設するための壁面緑化用金具であって、
２本のパイプと、
これらパイプ内に挿入され、これらパイプを折り曲げ自在に連結するスプリングと、
このスプリングによって連結された折り曲げ自在パイプの一端を建物壁面に固定するための固定具と、
前記折り曲げ自在パイプの他端に設けられたネットの保持具と、
を備えたことを特徴とする壁面緑化用金具。
【請求項２】
前記保持具が、互いに対向する２枚の板部材を備え、これら板部材の間に前記ネットを挟持する構成とした請求項１記載の壁面緑化用金具。
【請求項３】
前記固定具を、コンクリート内に埋設されたセパレートボルトに螺合するナットとし、このナットを前記折り曲げ自在パイプの一端に内蔵した請求項１又は２記載の壁面緑化用金具。
【請求項４】
前記壁面緑化用金具が、前記折り曲げ自在パイプの一端に連結され、又は前記折り曲げ自在パイプの一端が挿通される正面板と、縦方向に配索されるワイヤの挿通孔を穿設した水平板と、横方向に配索されるワイヤの挿通孔を穿設した垂直板とを有するブラケットを備えた請求項１〜３いずれか記載の壁面緑化用金具。
【請求項５】
請求項４記載の壁面緑化用金具に着脱自在な足場用金具であって、
建物壁面に固定された前記折り曲げ自在パイプの外側に装着され、前記折り曲げ自在パイプの長手方向に亘って当接する上面板を備えた断面略コ字形の足場金具本体と、
この足場金具本体の一端側に設けられた水平方向の板部材であり、その板面にはボルトの挿通孔が穿設され、前記足場金具本体が前記折り曲げ自在パイプの外側に装着されたときに、前記ブラケットの水平板と重なり合い、前記ボルトの挿通孔が前記水平板に穿設された縦方向のワイヤの挿通孔と一致する固定板と、
前記足場金具本体の一端側に設けられた水平方向に突出する棒部材であり、前記足場金具本体が前記折り曲げ自在パイプの外側に装着されたときに、前記ブラケットの垂直板に穿設された横方向のワイヤ挿通孔に挿通される支持棒と、
を備えたことを特徴とする足場用金具。
【請求項６】
請求項１〜４記載の壁面緑化用金具を用いた壁面緑化装置であって、
１本のパイプの一端に建物壁面への固定具を設けるとともに、他端にネットの保持具を設けた折り曲げ不可なネット固定金具を備え、
緑化する建物壁面の上部に、複数の前記ネット固定金具を少なくとも横１列に所定間隔をあけて配設するとともに、
建物壁面の前記ネット固定金具よりも下部に、複数の前記壁面緑化用金具を少なくとも横１列に所定間隔をあけて配設し、
前記ネット固定金具及び壁面緑化用金具の各保持具にネットを保持させた、
ことを特徴とする壁面緑化装置。
【発明の詳細な説明】
【技術分野】
【０００１】
本発明は、壁面にネットを張るために用いる壁面緑化用金具、足場用金具及びこれを用いた壁面緑化装置に関し、特に、防犯性及び安全性の向上を図ることができるとともに、壁面緑化装置の骨組みとなるフレーム枠を省略し、建物の外観を損なうことなく壁面緑化することが可能な壁面緑化用金具、足場用金具及び壁面緑化装置に関する。
【背景技術】
【０００２】
近年、学校、病院、工場、倉庫、駐車場などの建築物の壁面を植物で緑化し、夏季における壁面の表面温度を低下させて冷房負荷の低減を図り、省エネルギーや地球温暖化防止に寄与することが推進されている。そして、従来から建物の壁面を植物で覆って緑化する種々の装置が提案されている。
【０００３】
例えば、特開２００８−２８９４６２号（特許文献１）及び特開２００７−２７４９４８号（特許文献２）では、建物の壁面に装置の骨組みとなるフレーム枠（支柱や梁など）を縦横格子状に組み、このフレーム枠に複数のプランタを保持させて、壁面全体を緑化する構成の壁面緑化装置が提案されている。
【０００４】
また、特開２００７−２１５５１６号（特許文献３）及び特開２００２−３４３５０号（特許文献５）では、建物の壁面に組んだフレーム枠にネットを張り、このネットに蔓植物を絡ませて壁面全体を緑化する構成の壁面緑化装置が提案されている。
【０００５】
さらに、特開２００５−６８７５３号（特許文献４）では、建物の壁面に組んだフレーム枠に植生マットを保持させて、この植生マットに芝生や玉竜等の地被類を植生させ、壁面全体を緑化する構成の壁面緑化装置が提案されている。
【先行技術文献】
【特許文献】
【０００６】
【特許文献１】特開２００８−２８９４６２号公報
【特許文献２】特開２００７−２７４９４８号公報
【特許文献３】特開２００７−２１５５１６号公報
【特許文献４】特開２００５−６８７５３号公報
【特許文献５】特開２００２−３４３５０号公報
【発明の概要】
【発明が解決しようとする課題】
【０００７】
ところが、上述した従来の壁面緑化装置は、いずれも堅固なフレーム枠を建物の壁面に組み付ける構成となっていたので、このフレーム枠を足場にして２階以上の窓から建物内に侵入されるおそれがあった（防犯性の問題）。また、防犯上だけではなく、子供がいたずらにフレーム枠をよじ登り、誤って落下する危険もあった（安全性の問題）。
【０００８】
また、縦横格子状に組まれたフレーム枠は、その外観も建築に用いられる足場に類似しており、美しくデザインされた建物の外観を損なう要因となる（外観上の問題）。このため、従来の壁面緑化装置は、比較的に外観が重視されない古い建物、工場、駐車場、フェンス又は擁壁などには適用されるが、デザインにこだわった建物には適用しにくいという問題があった。
【０００９】
さらに、図３（ｂ）に示すように、フレーム枠が組み付けられるコンクリート製の壁４０や柱の内部には、これら壁４０や柱を成形するためのコンクリート型枠を固定していたセパレートボルト４１が埋め捨てられている。従来の壁面緑化装置では、これらセパレートボルト４１と無関係にフレーム枠をコンクリート製の壁４０や柱にアンカーボルトで固定する構成となっており、既存のセパレートボルト４１を何ら有効利用するものではなかった。
【００１０】
一般に、コンクリート製の壁４０や柱の表面には、セパレートボルト４１から除去したＰコン（プラスチックコーン）４２の跡（穴）４０ａが残存するが、建築現場では、多数のＰコン跡４０ａを穴埋めする作業が必要であった。この穴埋め作業は、壁４０や柱に点在する多数のＰコン跡４０ａに、１つずつモルタルを充填してコテで仕上げるというものであり、綺麗に補修するためには大変な労力を要する。また、このような労力を軽減するために、近年では合成樹脂製の穴埋め補修キャップ４３が市販されている。しかし、建物全てのＰコン跡４０ａと同数の穴埋め補修キャップ４３が必要であり、建物の規模に比例してコストが嵩むという問題がある。仮に、壁面緑化装置の構成要素として、埋め捨てられるはずのセパレートボルト４１を有効利用することができるなら、Ｐコン跡４０ａの穴埋め作業に要する労力及び費用を削減することが可能である。
【００１１】
本発明は、上記問題点に鑑みてなされたものであり、防犯性及び安全性の向上を図ることができるとともに、壁面緑化装置の骨組みとなるフレーム枠を省略し、建物の外観を損なうことなく壁面緑化することが可能な壁面緑化用金具、足場用金具及び壁面緑化装置の提供を目的とする。
【課題を解決するための手段】
【００１２】
上記目的を達成するために、本発明の壁面緑化用金具は、建物壁面にネットを配設するための壁面緑化用金具であって、２本のパイプと、これらパイプ内に挿入され、これらパイプを折り曲げ自在に連結するスプリングと、このスプリングによって連結された折り曲げ自在パイプの一端を建物壁面に固定するための固定具と、前記折り曲げ自在パイプの他端に設けられたネットの保持具と、を備えた構成としてある。前記ネットの保持具は、例えば、互いに対向する２枚の板部材を備え、これら板部材の間に前記ネットを挟持する構成としてもよい。
【００１３】
上記構成によれば、建物壁面に所定の間隔で行列配置した複数の折り曲げ自在パイプによって、蔓植物を絡ませるためのネットを建物壁面に配設することができる。不審者や子供がよじ登ろうとしてネットに荷重を加えると、折り曲げ自在パイプが折れ曲がり、ネットを下方へ撓ませる。これがネットをよじ登ろうとする者に、ネットを保持するパイプが途中で折れたのと同じ不安定感ないし脱力感を与え、ネットのよじ登りを躊躇させる。
【００１４】
また、壁面に点在する細い折り曲げ自在パイプは、従来の格子状に組んだフレーム枠と比較して極めてシンプルな構造であり、外観上も目立たず、建物のデザインを損なうことなく壁面緑化することが可能である。
【００１５】
好ましくは、前記固定具を、コンクリート内に埋設されたセパレートボルトに螺合するナットとし、このナットを前記折り曲げ自在パイプの一端に内蔵した構成とする。
【００１６】
建物の壁や柱を成形するためのセパレートボルトは、建物壁面等に所定の間隔で設けられており、本壁面緑化用金具を建物壁面等に所定の間隔で行列配置するのに好適である。このようなセパレートボルトを本壁面緑化用金具の固定に有効利用することで、Ｐコン跡の穴埋め作業に要する労力及び費用を削減することができる。
【００１７】
好ましくは、本壁面緑化用金具が、前記折り曲げ自在パイプの一端に連結され、又は前記折り曲げ自在パイプの一端が挿通される正面板と、縦方向に配索されるワイヤの挿通孔を穿設した水平板と、横方向に配索されるワイヤの挿通孔を穿設した垂直板とを有するブラケットを備えた構成とする。
【００１８】
上記構成からなるブラケットを設けた場合は、建物壁面の縦横方向にワイヤを配索することができ、例えば、これらワイヤにプランタを吊り下げ、又はこれらワイヤにネットを結び付けてばたつきを防止することができる。
【００１９】
また、建物壁面のセパレートボルトを利用しない場合は、折り曲げ自在パイプをブラケットの一端を正面板に連結し、この正面板を建物壁面にアンカーボルトで固定することにより、本壁面緑化用金具を建物壁面に配設することができる。
【００２０】
上記目的を達成するために、本発明の足場用金具は、上述した本発明の壁面緑化用金具に着脱自在な足場用金具であって、建物壁面に固定された前記折り曲げ自在パイプの外側に装着され、前記折り曲げ自在パイプの長手方向に亘って当接する上面板を備えた断面略コ字形の足場金具本体と、この足場金具本体の一端側に設けられた水平方向の板部材であり、その板面にはボルトの挿通孔が穿設され、前記足場金具本体が前記折り曲げ自在パイプの外側に装着されたときに、前記ブラケットの水平板と重なり合い、前記ボルトの挿通孔が前記水平板に穿設された縦方向のワイヤの挿通孔と一致する固定板と、前記足場金具本体の一端側に設けられた水平方向に突出する棒部材であり、前記足場金具本体が前記折り曲げ自在パイプの外側に装着されたときに、前記ブラケットの垂直板に穿設された横方向のワイヤ挿通孔に挿通される支持棒と、を備えた構成としてある。
【００２１】
上記構成からなる本足場用金具によれば、本足場用金具の非装着時には、折り曲げ自在パイプの折れ曲がりによって、ネットのよじ登りを防止することができるとともに、本足場用金具の装着時には、折り曲げ自在パイプを施工用又はメンテナンス用の足場として用いることが可能となる。
【００２２】
上記目的を達成するために、本発明の壁面緑化装置は、上述した本発明の壁面緑化用金具を用いた壁面緑化装置であって、１本のパイプの一端に建物壁面への固定具を設けるとともに、他端にネットの保持具を設けた折り曲げ不可なネット固定金具を備え、緑化する建物壁面の上部に、複数の前記ネット固定金具を少なくとも横１列に所定間隔をあけて配設するとともに、建物壁面の前記ネット固定金具よりも下部に、複数の前記壁面緑化用金具を少なくとも横１列に所定間隔をあけて配設し、前記ネット固定金具及び壁面緑化用金具の各保持具にネットを保持させた構成としてある。
【００２３】
上記構成からなる本壁面緑化装置では、折れ曲がり不可なネット固定金具がネットの上部を保持し、ネットとこれに絡んだ蔓植物等の重量を支えている。また、折れ曲がり自在な壁面緑化用金具がネットの下部を保持し、不審者や子供がネットをよじ登ろうとしてネットの下部に荷重を加えると、折り曲げ自在パイプが折れ曲がり、ネットを下方へ撓ませ、不審者等のよじ登りを躊躇させる。その後、ネットの下部の荷重が解除されると、ネット固定金具に上部を保持されたネットが上方に引っ張られて元通りの状態に復元し、折り曲げ自在パイプも真っ直ぐな状態に戻る。
【発明の効果】
【００２４】
本発明の壁面緑化用金具及びこれを用いた壁面緑化装置によれば、不審者や子供がよじ登ろうとしてネットに荷重を加えると、折り曲げ自在パイプが折れ曲がり、ネットを下方へ撓ませる。これがネットをよじ登ろうとする者に、ネットを保持するパイプが途中で折れたのと同じ不安定感ないし脱力感を与え、ネットのよじ登りを躊躇させる。
【００２５】
また、壁面に点在する細い折り曲げ自在パイプは、従来の格子状に組んだフレーム枠と比較して極めてシンプルな構造であり、外観上も目立たず、建物のデザインを損なうことなく壁面緑化することが可能である。
【００２６】
さらに、本壁面緑化用金具の固定に、既存のセパレートボルトを有効利用する構成とした場合は、Ｐコン跡の穴埋め作業に要する労力及び費用を削減することができる。
【００２７】
これに加え、本発明の足場用金具を折り曲げ自在パイプに装着することで、折り曲げ自在パイプを施工用又はメンテナンス用の足場として用いることが可能となり、本壁面緑化装置の施工及びメンテナンスを容易に行うことができる。
【図面の簡単な説明】
【００２８】
【図１】本発明の一実施形態に係る壁面緑化用金具を示すものであり、同図（ａ）は斜視図、同図（ｂ）は同図（ａ）のＡ部拡大図である。
【図２】図１（ａ）に示す上記壁面緑化用金具の分解斜視図である。
【図３】本発明の一実施形態に係る壁面緑化装置に用いる金具を示すものであり、同図（ａ）はネット固定金具の断面図、同図（ｂ）は上記壁面緑化用金具の断面図である。
【図４】上記壁面緑化装置の施工状態を示す斜視図である。
【図５】同図（ａ）、（ｂ）は上記壁面緑化装置における壁面緑化用金具の動作を示す説明図である。
【図６】本発明の一実施形態に係る足場用金具を示すものであり、同図（ａ）は上記壁面緑化用金具に装着する前の状態の斜視図、同図（ｂ）は上記壁面緑化用金具に装着した状態の部分断面正面図、同図（ｃ）は上記壁面緑化用金具に装着した状態の部分断面側面図である。
【図７】上記足場用金具の変更例を示す部分断面側面図である。
【発明を実施するための形態】
【００２９】
以下、本発明の一実施形態に係る壁面緑化用金具、壁面緑化装置及び足場用金具について、図面を参照しつつ順に説明する。
【００３０】
[壁面緑化用金具]
まず、本実施形態に係る壁面緑化用金具について、図１〜３を参照しつつ説明する。図１（ａ）、（ｂ）及び図２において、壁面緑化金具１は、折り曲げ自在パイプ１０、ブラケット２０及び保持具３０からなっている。
【００３１】
＜折り曲げ自在パイプ＞
折り曲げ自在パイプ１０は、短い第１パイプ１１と、長い第２パイプ１２とを、これらの内部に挿通したスプリング１３によって連結した構成となっている。このような折り曲げ自在パイプ１０は、荷重を受けると継ぎ目（図１（ａ）中の鎖線で囲ったＡ部を参照）で折れ曲がった状態となり、荷重が解除されると真っ直ぐな状態に復元する。
【００３２】
本実施形態では、折り曲げ自在パイプ１０を直径１６ｍｍ、全長２００ｍｍのステンレス製とし、第１パイプ１１と第２パイプ１２との長さ比率を概ね１：２程度に設定してある。但し、第１パイプ１１と第２パイプ１２とが折り曲げ可能であれば、両者の長さ比率は特に限定されるものではない。
【００３３】
短い第１パイプ１１は、図２に示す建物の壁４０に固定されるものであり、その一端側には、固定具としてのナット１１ａが内蔵してある。このナット１１ａは、壁４０に埋設された、例えば、２分５厘のセパレートボルト４０ａと螺合する。また、図１（ｂ）に示すように、第１パイプ１１の他端縁の外側にテーパ部１１ｂを設け、このテーパ部１１ｂが第２パイプ１２の一端縁の内側と滑らかに接合するようになっている。長い第２パイプ１２の他端側には、保持具３０のボルト部３１ｂ（例えば、２分５厘のボルト）と螺合するナット１２ａが内蔵してある。
【００３４】
スプリング１３は、第１及び第２パイプ１１、１２の内径とほぼ同じ外径を有し、第１パイプ１１の他端側から第２パイプ１２の一端側にわたって挿入されている。図３（ｂ）に示すように、スプリング１３の一端側は、係止ピン１３ａによって第１パイプ１１内に固定され、スプリング３１の他端側は、係止ピン１３ｂによって第２パイプ１２内に固定されている。
【００３５】
＜ブラケット＞
本実施形態におけるブラケット２０は、建物の壁４０に縦横のワイヤ（図４中の符号６１、６２を参照）を配索するとともに、後述する足場用金具３を取り付けるためのものである。このブラケット２０は、図２に示すように、互いの一辺どうしが連成ないし接合された正面板２１、水平板２２及び垂直板２３からなっている。このようなブラケット２０は、例えば、厚さ３ｍｍのスチール板を加工し、全体を亜鉛メッキして錆と腐食を防止する。
【００３６】
正面板２１の中央には、第１パイプ１１の一端を挿通することが可能な直径のパイプ挿通孔２１ａが設けてある。また、正面板２１のパイプ挿通孔２１ａよりも下方には、２つのアンカーボルト挿通孔２１ｂ、２１ｂが穿設してある。ブラケット２０は、これらアンカーボルト挿通孔２１ｂ、２１ｂを介して打設したアンカーボルト２４、２４によって壁４０に固定される。
【００３７】
一方、水平板２２の自由端側には、縦方向に配索されるワイヤを保持するためのワイヤ挿通孔２２ａが穿設してあり、垂直板２３の下端側には、横方向に配索されるワイヤを保持するためのワイヤ挿通孔２３ａが穿設してある。
【００３８】
なお、セパレートボルト４１を利用しないで、本壁面緑化用金具１を建物の壁４０に施工する場合は、このブラケット２０が本壁面緑化用金具１を壁４０に固定するための固定具となる。この場合は、例えば、正面板２１にパイプ挿通孔２１ａを設ける代わりに、２分５厘のボルトを立設する。このボルトに第１パイプ１１のナット１１ａを螺合させ、正面板２１をアンカーボルト２４、２４で壁４０に固定すればよい。
【００３９】
＜保持具＞
保持具３０は、細長い第１及び第２プレート３１、３２を備え、これらプレート３１、３２の間にネット７０（図４参照）を挟持する構成となっている。このような第１及び第２プレート３１、３２は、例えば、上述したブラケット２０と同様に厚さ３ｍｍのスチール板を加工し、全体を亜鉛メッキした構成とする。
【００４０】
第１及び第２プレート３１、３２の上下両側には、これらプレートを対向配置したときに互いに一致する一対のボルト挿通孔３１ａ、３１ａ及び３２ａ、３２ａがそれぞれ設けてある。互いに一致させたボルト挿通孔３１ａ、３２ａに、それぞれボルトを挿通してダブルナットで締結することで、第１及び第２プレート３１、３２の間にネット７０を挟持する。
【００４１】
また、第１プレート３１の裏面中央には、上述したボルト部３１ｂが溶着してある。このボルト部３１ｂを第２パイプ１２のナット１２ａに螺合させることで、保持具３０を折り曲げ自在パイプ１０の他端に連結させている。
【００４２】
[壁面緑化装置]
次に、上記壁面緑化用金具１及び図３（ａ）に示すネット固定金具５０を用いた本壁面緑化装置について、図３〜５を参照しつつ説明する。
【００４３】
＜ネット固定金具＞
まず、ネット固定金具５０の構成について説明する。図３（ａ）において、ネット固定金具５０は、ネット７０の上部を保持し、ネットとこれに絡んだ蔓植物等の重量を支えるものである。ネット等の重量を支えるため、ネット固定金具５０のパイプ５１は、折り曲げ不可の１本となっている。ネット固定金具５０のその他の構成は、上記壁面緑化用金具１と同一となっている（図３（ａ）において、壁面緑化用金具１と同一の構成要素に同一の符号を付し、詳細な説明は省略する。）。
【００４４】
＜壁面緑化装置の構成＞
図４に本壁面緑化装置２の一例を示す。本実施形態の壁面緑化装置２は、建物の壁面４０の上部に３つのネット固定金具５０、５０、５０を横１列に所定間隔をあけて配設するとともに、これらネット固定金具５０、５０、５０よりも下部に、６つの壁面緑化用金具１、１、１及び１、１、１を３つずつ横２列に所定間隔をあけて配設した構成となっている。
【００４５】
これらネット固定金具５０及び壁面緑化用金具１において、各ブラケット２０のワイヤ挿通孔２２ａ、２２ａ、２２ａ（図１参照）には、縦方向のワイヤ６１が挿通され、このワイヤ６１の上下端は、下又は上に折り返されてワイヤクリップで固定されている。
【００４６】
また、各ブラケット２０のワイヤ挿通孔２３ａ、２３ａ、２３ａ（図１参照）には、横方向のワイヤ６２が挿通され、このワイヤ６２の両端は、左又は右に折り返されてワイヤクリップで固定されている。上から２本のワイヤ６２には、それぞれ４つのプランタ８０、８０、８０、８０がフックによって吊り下げられている。
【００４７】
さらに、ネット固定金具５０及び壁面緑化用金具１の各保持具３０は、四角形のネット７０の４辺及び中心部を挟持している。各プランタ８０に植えた蔓植物８１は、ネット７０に絡みついて下方に延び、ネット７０の上半分と下半分を短期間で覆い、壁４０全体を緑化する。
【００４８】
＜壁面緑化装置の動作＞
図５（ａ）、（ｂ）に示すように、不審者や子供がよじ登ろうとしてネット７０に荷重を加えると、この荷重がネット７０を介して、下から２列の各折り曲げ自在パイプ１、１、１、１、１、１のうちの一部に伝わる。すると、荷重を受けた折り曲げ自在パイプ１が折れ曲がり、ネット７０を下方へ撓ませる。これがネット７０をよじ登ろうとする者に、ネット７０を保持するパイプが途中で折れたのと同じ不安定感ないし脱力感を与え、ネット７０のよじ登りを躊躇させる。
【００４９】
＜本実施形態の作用効果＞
以上のように、本実施形態に係る壁面緑化用金具１及びこれを用いた壁面緑化装置２によれば、折り曲げ自在パイプ１が荷重を受けて折れ曲がることで、不審者や子供のネットのよじ登りを躊躇させることができ、防犯性及び安全性の向上を図ることができる。
【００５０】
また、壁面緑化用金具１及びネット固定金具５０を用いることにより、壁面緑化装置２の骨組みとなるフレーム枠を省略することができる。そして、壁面４０に点在する壁面緑化用金具１及びネット固定金具５０は、主として細いパイプやプレートからなるので、従来の格子状に組んだフレーム枠と比較して極めてシンプルな構造であり、外観上も目立たず、建物のデザインを損なうことなく壁面緑化することが可能である。
【００５１】
さらに、壁面緑化用金具１及びネット固定金具５０の固定に、既存のセパレートボルト４０を有効利用する構成としてあるので、Ｐコン跡４０ａの穴埋め作業に要する労力及び費用を削減することができる。
【００５２】
［足場用金具］
次に、上述した壁面緑化装置２の施工やメンテナンスに有用な足場用金具の実施形態について、図６（ａ）、（ｂ）、（ｃ）及び図７を参照しつつ説明する。
【００５３】
図６（ａ）において、本足場用金具３は、上述した壁面緑化用金具１（及びネット固定金具５０）に装着して足場を形成するものであり、断面略コ字形の足場用金具本体９１の一端側に、断面略Ｌ字形の固定板９２と、水平方向に突出する支持棒９３とを溶接した構成となっている。このような本足場用金具３は、例えば、上述したブラケット２０と同様に厚さ３ｍｍのスチール板を加工し、全体を亜鉛メッキした構成とする。
【００５４】
足場用金具本体９１は、同図（ｂ）及び（ｃ）に示すように、建物の壁４０に固定された折り曲げ自在パイプ１０の外側に装着され、その上面板９１ａが折り曲げ自在パイプ１０の長手方向に亘って当接するようになっている。壁面緑化用金具１に対応する足場用金具本体９１の寸法としては、例えば、幅３５ｍｍ、全長１９０ｍｍ、高さ３０ｍｍとすることができる。この程度の幅や長さがあれば、作業者の足を足場用金具本体９１に乗せることが可能となる。
【００５５】
固定板９２は、水平方向に延びる板部材であり、その板面にはボルト挿通孔９２ａが設けてある。この固定板９２は、足場金具本体９１を折り曲げ自在パイプ１０の外側に装着したときに、ブラケット２０の水平板２２（図１を参照）と重なり合い、そのボルト挿通孔９２ａが水平板２２に穿設された縦方向のワイヤ挿通孔２２ａと一致するようになっている。
【００５６】
支持棒９３は、足場金具本体９１を折り曲げ自在パイプ１０の外側に装着したときに、ブラケット２０の垂直板２３（図１を参照）に穿設された横方向のワイヤ挿通孔２３ａに挿通される。この支持棒９３は、足場金具本体９１に加えられる荷重を支える。
【００５７】
上記構成からなる本足場用金具３によれば、本足場用金具３の非装着時には、折り曲げ自在パイプ１０の折れ曲がりによって、ネット７０のよじ登りを防止することができるとともに、本足場用金具３の装着時には、折り曲げ自在パイプ１０を施工用又はメンテナンス用の足場として用いることが可能となる。
【００５８】
＜変更例＞
ここで、上記足場用金具３の変更例を図７に示す。本足場用金具３の下面板には、ボルトによって回動可能に固定された支持脚９４が設けてある。支持脚９４の先端は尖鋭になっている。一方、建物の壁４０には、Ｌ字金具９５がアンカーボルトによって固定してあり、このＬ字金具９５の水平方向に突出する板面には、支持脚９４の先端を受けるための係止孔９５ａが穿設してある。
【００５９】
上記構成からなる本足場用金具３によれば、支持脚９４によって足場金具本体９１に加えられるより大きな荷重を支えることができ、より安定した足場を形成することが可能となる。また、ボルトを緩めて支持脚９４を回動させることができるので、折り曲げ自在パイプ１０への着脱を容易に行えるとともに、収納時には支持脚９４を折り畳んでコンパクト化することが可能である。
【００６０】
［その他の変更］
本発明の壁面緑化用金具、壁面緑化装置及び足場用金具は、上述した各実施形態の構成に限定されるものではなく、本壁面緑化用金具を施工する建物の構造、植物の種類、環境等の要因に応じて、種々の変更が可能である。特に、図４は、本発明の壁面緑化装置の最も基本的な実施態様の一例を示したにすぎず、例えば、ワイヤ６１，６２の配索の仕方やプランタ８０の設け方は、必要に応じて他の態様に変更することが可能である。
【００６１】
例えば、ワイヤ６１，６２は、壁面緑化金具１のブラケット２０によって保持する構成に限定されるものではなく、ワイヤ６１，６２を配索するための専用ブラケットを壁４０に設け、ネット７０に対して任意のレイアウトでワイヤ６１，６２を配索することができる。また、本実施形態では、プランタ８０をワイヤ６１，６２に吊したが、例えば、プランタ８０を地上、屋上の一方又は両方に設置する構成としてもよい。
【符号の説明】
【００６２】
１  壁面緑化用金具
１０  折り曲げ自在パイプ
１１  第１パイプ
１１ａ  ナット（固定具）
１１ｂ  テーパ部
１２  第２パイプ
１２ａ  ナット
１３  スプリング
１３ａ、１３ｂ  係止ピン
２０  ブラケット
２１  正面板
２１ａ  パイプ挿通孔
２１ｂ  アンカーボルト挿通孔
２２  水平板
２２ａ  ワイヤ挿通孔
２３  垂直板
２３ａ  ワイヤ挿通孔
２４  アンカーボルト
３０  保持具
３１  第１プレート
３１ａ  ボルト挿通孔
３１ｂ  ボルト部
３２  第２プレート
３２ａ  ボルト挿通孔
４０  壁
４０ａ  Ｐコン跡
４１  セパレートボルト
４２  Ｐコン
４３  穴埋め補修キャップ
２  壁面緑化装置
５０  ネット固定金具
５１  パイプ
６１、６２  ワイヤ
６３  ワイヤクリップ
７０  ネット
８０  プランタ
３  足場用金具
９１  足場金具本体
９１ａ  上面板
９２  固定板
９２ａ  ボルト挿通孔
９３  支持棒
９４  支持脚
９５  Ｌ字金具
９５ａ  係止孔
【図１】
2011087492.tif 000003
【図２】
2011087492.tif 000004
【図３】
2011087492.tif 000005
【図４】
2011087492.tif 000006
【図５】
2011087492.tif 000007
【図６】
2011087492.tif 000008
【図７】
2011087492.tif 000009